(57)【特許請求の範囲】
【請求項１】
コンテンツに対するチャプタ生成部と通信可能であり、また、前記コンテンツに対する複数のタグリスト情報を保存しているサーバから、前記複数のタグリスト情報をネットワーク経由で取得する送受信部と、
前記複数のタグリスト情報の中から所望のタグリスト情報が指定された場合、前記所望のタグリスト情報に含まれるタグ時間情報を、前記チャプタ生成部のチャプタ設定情報として送信する新チャプタ制御部を有したチャプタ設定制御装置。
【請求項２】
前記コンテンツに対して、既存のチャプタ設定がされている場合、前記既存のチャプタをキャンセルする既存チャプタ制御部をさらに含むことを特徴とする請求項１記載のチャプタ設定制御装置。
【請求項３】
さらに前記所望のタグリスト情報に含まれるタグリスト名及び又はタグ名の修正を行うための名称処理部を含むことを特徴とする請求項１記載のチャプタ設定制御装置。
【請求項４】
さらに前記所望のタグリスト情報に含まれる複数のタグ情報の中から、タグ情報の取捨選択を行うための設定選択部を含むことを特徴とする請求項１記載のチャプタ設定制御装置。
【請求項５】
前記所望のタグリスト情報が処理されている途中で、電話信号処理部において着信があったときは、処理途中のデータをセーブすると共に電話コールをイメージしたポップアップアイコンを出力するデータセーブ処理部をさらに有することを特徴とする請求項１記載のチャプタ設定制御装置。
【請求項６】
ネットワークを介してサーバから情報を取り込むデータ送受信部を有する共に、前記データ送受信部を介してチャプタ生成部を操作可能なチャプタ設定制御装置によるチャプタ設定制御方法において、
コンテンツに対する複数のタグリスト情報を、前記サーバから、前記ネットワーク経由で取得するステップと、
前記複数のタグリスト情報の中から所望のタグリスト情報が指定された場合、前記所望のタグリスト情報に含まれるタグ時間情報を、前記コンテンツに対するチャプタ設定情報として前記チャプタ生成部に送信するステップとを有する
ことを特徴とするチャプタ設定制御装置によるチャプタ設定制御方法。
【請求項７】
前記コンテンツに対して、既存のチャプタ設定がされている場合、前記既存のチャプタをキャンセルするための操作を受け付けるステップを有する
ことを特徴とする請求項６記載のチャプタ設定制御装置によるチャプタ設定制御方法。
【請求項８】
さらに前記所望のタグリスト情報に含まれるタグリスト名及び又はタグ名の修正を行うこと、及び又は、前記所望のタグリスト情報に含まれる複数のタグ情報の中から、タグ情報の取捨選択を行うことを特徴とする請求項６記載のチャプタ設定制御装置によるチャプタ設定制御方法。
【発明の詳細な説明】
【技術分野】
【０００１】
本実施形態は、チャプタ設定制御装置及びチャプタ設定制御装置によるチャプタ設定制御方法に関する。
【背景技術】
【０００２】
従来の情報記録再生装置には、チャプタを自動的に生成するチャプタ自動生成手段が設けられている。チャプタが録画再生装置において自動生成されるときは、録画再生装置がチャプタ設定モードとされる。次に録画再生装置がコンテンツの再生状態となる。再生信号はモニタに映し出される。ユーザはモニタ画面を見ている途中で、チャプタを設定したいとき、リモートコントローラのキーを操作する。すると、録画再生装置では、キー操作がなされた時点ｔ１で一時停止が実施され、一停止箇所でタイトル内にチャプタマークｃ１が設定される。
【０００３】
また最近では、ネットワークを介してコンテンツのチャプタ設定情報を取得し、取得したチャプタ設定情報に基づいて、前記コンテンツのチャプタの設定を行うコンテンツ編集装置が開発されている。この編集装置を利用するとユーザが録画再生装置を操作する負担が大きく軽減される。
【先行技術文献】
【特許文献】
【０００４】
【特許文献１】特開２００６−１７４４０２号公報
【発明の概要】
【発明が解決しようとする課題】
【０００５】
本発明の一面は、コンテンツのタグリストを利用して当該コンテンツのチャプタの設定処理を制御することができるチャプタ設定制御装置及びチャプタ設定制御装置によるチャプタ設定制御方法を提供することを目的とする。
【課題を解決するための手段】
【０００６】
実施形態によれば、コンテンツに対するチャプタ生成部と通信可能であり、また、前記コンテンツに対する複数のタグリスト情報を保存しているサーバから、前記複数のタグリスト情報をネットワーク経由で取得する送受信部と、前記複数のタグリスト情報の中から所望のタグリスト情報が指定された場合、前記所望のタグリスト情報に含まれるタグ時間情報を、前記チャプタ生成部のチャプタ設定情報として送信する新チャプタ制御部を有する。
【図面の簡単な説明】
【０００７】
【図１】実施形態が適用されたシステム構成例を示す図である。
【図２】図１の実施例で示した録画再装置の構成例を示す図である。
【図３】図１の実施例で示したテレビジョン受信装置の構成例を示す図である。
【図４】図１の実施例で示した携帯端末の構成及びその画面例を示す図である。
【図５】本実施形態において、チャプタ設定が行われるときの動作例を説明するために示す説明図である。
【図６】本実施形態の携帯端末を利用してチャプタ設定が行われるときの動作を示すフローチャートである。
【図７】携帯端末の操作画面の例を示す図である。
【図８】携帯端末の他の操作画面の例を示す図である。
【図９】本実施形態において、チャプタ設定が行われるときの他の動作例を説明するために示す説明図である。
【図１０】本実施形態の携帯端末を利用しているとき電話がかかってきたときの対処方法を説明する図である。
【発明を実施するための形態】
【０００８】
以下、実施の形態について図面を参照して説明する。図１は、実施形態が適用されたシステム構成例を示す図である。ハードディスク及び又は光ディスクを記録媒体として使用する録画再生装置１００は、テレビジョン受信装置４０００に例えばホームネットワークを介して接続されている。テレビジョン受信装置４０００は、録画再生装置１０００からのオーディオ及びビデオ出力を視聴するためのモニタとして利用されることができる。テレビジョン受信装置４０００及び録画再生装置１０００は、ネットワーク５０００を介して外部のサーバ６０００と通信を行うことができる。テレビジョン受信装置４０００及び録画再生装置１０００は、セットトップボックス３０００を介して外部ネットワーク５０００に接続されてもよい。またセットトップボックス３０００内にホームネットワーク内の独自のサーバが存在してもよい。
【０００９】
携帯端末７０００は、携帯電話機として利用されると共に、録画再生装置１０００、テレビジョン受信装置４０００及びセットトップボックス３０００などをリモートコントロールするリモートコントローラとしての機能も備える。
【００１０】
携帯端末７０００は、後で詳細に説明するように、録画再生装置１０００の機能を大幅に変更しなくても、録画再生装置１０００の利用形態を拡張することができる。
【００１１】
図２には、録画再生装置１０００のブロック構成を示している。１００１は、録画再生装置を操作するためのリモートコントローラ（以下単にリモコンと称する）である。
【００１２】
リモコン１００１からの操作信号は、ユーザ操作入力部１００により受信され、制御ブロック２００内の制御部（メインコントローラ）２１２で解釈される。リモコン１００１からの操作信号が電源をオンするコマンドであれば、プラグ１３０が接続された電源モジュール１３１が起動する。これにより、録画再生装置１０００は主電源オン状態となる。なおリモコン信号受信などのため補助電源は常時オン状態に設定されている。
【００１３】
リモコン１００１からの操作信号が、放送信号から番組選択を行うコマンドであったとする。アンテナ１０１からの高周波信号がチューナ１０２に入力されており、チューナ１０２は指定され番組の信号を受信し、復調し、AV信号処理部１０３に供給する。AV信号処理部１０３は、入力した信号に対して各種の信号処理（走査線数変換、解像度変換、輝度補正、色相調整、ノイズ低減処理など）を選択的に行い、出力信号をテレビジョン受信装置４０００に供給する。
【００１４】
制御ブロック２００は、GUI（グラフィックユーザインターフェース）処理部２１１、EPG（電子番組案内）情報処理部２３０を有する。EPG情報処理部２３０は、ネットワーク或いはチューナ１０２を介して、電子番組案内情報を取得することができる。取得された電子番組案内情報は、例えばメモリ１２０に格納される。この電子番組案内情報は、適宜更新される。ユーザが番組表を見たいときは、リモコン１００１を操作し、メニューを要求する。制御部２１２は、メニュー要求があったことを解析し、GUI処理部２１１に対してメニュー映像の出力を指令する。GUI処理部２１１は、例えばメモリ部１２０のメニュー映像データを読み出し、AV信号処理部１０３に供給する。これにより、テレビジョン受信装置４０００にはメニュー画像が表示される。メニュー画像には、番組表表示の項目（アイコン）がある。ユーザがカーソル操作を行い、番組表表示の項目（アイコン）を選択し、決定ボタンを押すと、GUI処理部２１１は、メモリ１２０から電子番組案内情報を読出し、AV信号処理部１０３に供給する。AV信号処理部１０３は、入力した電子番組案内情報を処理し、番組表として出力し、テレビジョン受信装置４０００に供給する。これによりテレビジョン受信装置４０００には、番組表が表示される。ユーザは、番組表上でカーソルの移動操作を行い、希望の番組名（アイコン）を選択し、決定ボタンを押すと、当該番組の受信及び表示が行われる。
【００１５】
番組を録画予約する場合も、ユーザは、録画予約の操作キーを操作する。すると上記したように番組表がテレビジョン受信装置４０００に表示されるので、ユーザは、番組表上でカーソルの移動操作を行い、希望の番組を指定し、決定ボタンを操作する。これにより、希望の番組の録画予約が可能である。またこのとき録画先の記憶メディアを指定することができる。記憶メディアとしては、光ディスク（DVD,ブルーレイディスク）１１２、ハードディスク１１４、メモリカード１１７などを指定可能である。
【００１６】
光ディスク１１２に対する信号の録再が行われるときは、制御ブロック２００、ディスクドライブユニット１１１とAV信号処理部１０３とが連携して動作する。ハードディスク１１４に対する信号の録再が行われるときは、制御ブロック２００、ハードディスクドライブユニット１１３とAV信号処理部１０３とが連携して動作する。メモリカード１１７に対する信号の録再が行われるときは、制御ブロック２００、リーダライタ１１５とAV信号処理部１０３とが連携して動作する。
【００１７】
上記した記憶メディアのアクセス制御が行われ、再生処理が行われるときは、制御ブロック２００内の再生制御処理部２１４が統括的な動作を行う。録画処理が行われるときは、制御ブロック２００内の録画制御処理部２１５が統括的な制御動作を行う。統括的な制御動作は、例えば、AV信号処理部１０３と、ディスクドライブユニット１１１又はハードディスク１１４又はリーダライタ１１５の動作タイミングの制御などである。再生や録画が行われるとき、再生処理部２１４、録画制御部２１５は、設定モード処理部２１６で設定されている再生モードや録画モードに応じて再生或いは録画を制御する。設定モードとは、再生に関しては、倍速再生、解像度の変更、アスペクト比の設定、録画に関しては解像度の設定、録画速度モードの設定がある。
【００１８】
さらに制御ブロック２００は、自動チャプタ生成部２２１、チャプタ編集処理部２２２、タイトル及びチャプタ再生処理部２２４、チャプタ設定情報管理部２２４を含む。またタグリスト管理部２２５も含む。
【００１９】
自動チャプタ生成部２２１は、録画したタイトルのコンテンツ内の任意の位置（例えば、コマーシャルの始まりと終わりの位置、あるいは一定時間毎の位置）に区切り位置としてのチャプタ区切り情報を設定する事ができる。具体的には、例えばコマーシャルの始まりと終わりの位置を、それぞれ番組の開始からの経過時間情報として、作成する。この経過時間情報（チャプタ設定情報）は、チャプタをつけたタイトル名とともにチャプタ設定情報管理部２２４により整理されテーブル化されてもよい。そしてチャプタ設定情報は、例えばタイトル名とともにメモリ部１２０に保存される。
【００２０】
自動チャプタ生成部２２１において、チャプタが生成されるケースとしては、放送信号を受信しているときに受信している番組（コンテンツ）を録画しながらチャプタを生成する場合、あるいは一旦受信して記録媒体に記録した番組（コンテンツ）を再生しながらチャプタを生成する場合がある。いずれの場合も、チャプタを生成する場合は、ユーザがリモコン或いはメニュー画面を介して、チャプタ自動生成の指定を行う。このチャプタの自動生成モードが設定されているか否かは、設定モード処理部２１６により管理されている。
【００２１】
ユーザは、チャプタを編集することも可能である。例えばメニュー画面の中でチャプタ編集項目が選択されると、制御ブロック２００に含まれているチャプタ編集処理部２２２が起動する。チャプタ編集処理部２２２は、例えばチャプタ設定情報に基づいてチャプタが作成されているタイトル名をテレビジョン受信装置４０００が表示するようにメモリ部１２０を制御する。タイトルがユーザにより指定されると、当該タイトルのチャプタ設定情報を参照して、例えばチャプタの先頭と終わり（次のチャプタの前）のサムネイルを作成して、テレビジョン受信装置４０００が表示するように、記録媒体及びAV信号処理部１０３、メモリ部１２０などを制御する。これによりユーザはテレビジョン受信装置４０００を見ながらカーソルによりサムネイルを指定し、チャプタを指定し、削除する、あるいは合体するなどの編集を行うことが可能である。
【００２２】
またチャプタ編集処理部２２２は、与えられるコマンド（チャプタ消去用のコマンド）に応じて、既存チャプタマークの消去を行うこともできるし、新たにチャプタマークを設定することもできる。
【００２３】
さらに制御ブロック２００は、タグリスト管理部２２５も有する。タグは、例えば始めと終わりの時間の映像期間指定時間情報として定義される。短時間の映像期間としては、例えば1フレーム期間でも良いし、数１０フレーム期間でもよい。この期間はこのような短時間のものに限定される必要は無く、さらに長い時間（例えば3分、6分など）のものでもよい。
【００２４】
タグ情報としては次のような種目がある。例えば、各タグリストに対し付されたタグリスト名、タグリストの中の各タグに付されたタグ名がある。また各タグを設定する時間情報がある。タグリスト名、タグ名は、チャプタ名或いは独自にテキスト入力された識別名が利用されてもよい。１つのタグの始めと終わりの時間間隔を指定する場合、チャプタ設定情報を利用して、チャプタの先頭にタグを作成する方法もある。
【００２５】
タグリスト管理部２２５は、上記のように作成されるタグを収集してタイトル毎のタグリスト情報を作成する。タグリスト管理部２２５は、作成したタグリストをタグリスト情報としてメモリ部１２０に転送して格納させる。タグリストは、異なるユーザが独自に生成することができる。したがって、１つのタイトルに対して異なるユーザが異なるタグリストを生成することができる。
【００２６】
また制御ブロック２００には、時間情報処理部２３１が設けられている。この時間情報処理部２３１は、例えば、携帯端末７０００とこの録画再生装置１０００との動作上の時間的ずれを補正するために用いることができる。例えばタグを設定するとき、番組の先頭からタグ位置までの時間測定、時間情報の修正などに利用可能である。
【００２７】
上記の録画再生装置１０００は、ネットワーク制御部３００を介してネットワーク５０００に接続されている。このネットワーク５０００には、サーバ６０００が接続されている。また図示していないが中継用の無線或いは有線の中継送受信装置（基地局と称してもよい）がネットワーク上に設けられている。中継送受信装置は、電話回線用として利用される基地局であってもよいし、テレビジョン受信装置に設けられる送受信装置、あるいは録画再生装置に設けられるネットワーク制御部であってもよい。
【００２８】
したがって、中継送受信装置と携帯端末７０００は、相互通信が可能である。携帯端末７０００は、例えば携帯電話機として機能する端末である。
【００２９】
サーバ６０００は、ネットワーク上に接続された録画装置１００、携帯端末７０００などと相互の通信を行うことができる。サーバ６０００は、通知送受信部６０１、タグリスト管理部６０３、データベース６０４を含む。タグリスト管理部６０３は、録画再生装置１０００から送られてきたタグ情報（例えばタイトル名あるいはチャプタ名）を管理する。そしてタグリスト情報として、データベース６０４に格納することができる。
【００３０】
なおタグ情報としての形態は、例えばタイトル名と、タイトル名の下位の層のタグリスト名という構成である。したがって、1つのタイトルに対して複数のタグリストを生成可能である。例えばユーザAとユーザBは、それぞれ嗜好に応じて独自のタグリストを作成することができる。
【００３１】
次に図３を参照して、テレビジョン受信装置４０００の構成を説明する。テレビジョン放送受信装置４０００の信号処理系を概略的に示している。デジタルテレビジョン放送受信用のアンテナ２２で受信したデジタルテレビジョン放送信号は、入力端子２３を介してチューナ２４に供給される。このチューナ２４は、入力されたデジタルテレビジョン放送信号から所望のチャンネルの信号を選局し復調している。チューナ２４から出力された信号は、デコーダ２５に供給されて、例えばＭＰＥＧ（moving picture experts group）２デコード処理が施された後、セレクタ２６に供給される。
【００３２】
またチューナ２４の出力は、直接セレクタ２６に供給されている。この信号から映像・音声情報などが分離され、この映像・音声情報が制御部３５を介して記録・再生信号処理器５５で処理され、ハードディスクドライブ（ＨＤＤ）５７にて記録されることも可能である。ＨＤＤ５７は、ユニットとして端子５６を介して記録・再生信号処理器５５に接続されており、交換することも可能である。またＨＤＤ５７は、信号の記録器、読み取り器を含む。
【００３３】
アナログテレビジョン放送受信用のアンテナ２７で受信したアナログテレビジョン放送信号は、入力端子２８を介してチューナ２９に供給される。このチューナ２９は、入力されたアナログテレビジョン放送信号から所望のチャンネルの信号を選局し復調している。そして、このチューナ２９から出力された信号は、Ａ／Ｄ（analog／digital）コンバータ３０によりデジタル化された後、セレクタ２６に出力される。
【００３４】
また、例えばＶＴＲなどの機器が接続されるアナログ信号用の入力端子３１に供給されたアナログの映像及び音声信号は、Ａ／Ｄコンバータ３２に供給されてデジタル化された後、セレクタ２６に出力される。さらに、例えば光ディスク再生装置などの機器が接続されるデジタル信号用の入力端子３３に供給されたデジタルの映像及び音声信号は、そのままセレクタ２６に供給される。
【００３５】
Ａ／Ｄ変換された信号が、ＨＤＤ５７にて記録される場合は、セレクタ２６に付随しているエンコーダ・デコーダ３６内のエンコーダにより、所定のフォーマット例えばＭＰＥＧ（moving picture experts group）２方式による圧縮処理が施された後、記録・再生信号処理器５５を介してＨＤＤ５７に記録される。
【００３６】
セレクタ２６は、４種類の入力デジタル映像及び音声信号から１つを選択して、信号処理器３４に供給している。この信号処理器３４は、入力されたデジタル映像信号からオーディオ情報、ビデオ情報を分離し、所定の信号処理を施している。信号処理としては、オーディオ情報に関しては、オーディオデコード・音質調整・ミックス処理などが任意に行われる。ビデオ情報に関しては、カラー・輝度分離処理、カラー調整処理、画質調整処理などが行われる。
【００３７】
オーディオ情報は、オーディオ出力回路３７でアナログ化され、音量、チャンネルバランスなどの調整を受けた後、出力端子３８を介してスピーカ装置４１０２に出力される。
【００３８】
ビデオ情報は、ビデオ出力回路３９にて、画素の合成処理、走査線数変換など受けたのち、出力端子４１、４２を介して表示器４１０３へ出力される。例えば映像信号が３Ｄ信号の場合、出力端子４１、４２の両方が利用される。
【００３９】
映像表示器１０３としては、例えば、液晶ディスプレイやプラズマディスプレイ等でなるフラットパネルディスプレイが採用される。
【００４０】
このテレビジョン放送受信装置４０００は、各種の受信動作を含む種々の動作を制御ブロック３５によって統括的に制御されている。この制御ブロック３５は、ＣＰＵ（central processing unit）等を内蔵したマイクロプロセッサの集合である。制御ブロック３５は、操作部４７からの操作情報、または、リモートコントローラ１００１から送信された操作情報がリモコン信号受信部４８を取得され、これにより、その操作内容が反映されるように各種ブロックをそれぞれ制御している。
【００４１】
制御部３５は、メモリ４９を使用している。このメモリ４９は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００４２】
またこの装置はインターネットを介して外部サーバ（例えばサーバ６０００）との通信を行うことも可能である。接続端子４４aからのダウンストリーム信号は、送・受信器４５aで復調され変調・復調器４６aで復調され、制御ブロック３５に入力される。またアップストリーム信号は、変調・復調器４６aで変調され、送・受信器４５aで送信信号に変換され接続端子４４aに出力される。
【００４３】
制御ブロック３５は、外部サーバからダウンロードされた動画像あるいはサービス情報を変換処理し、ビデオ出力回路３９に供給することができる。また制御ブロック３５は、リモコン操作に応答して、外部サーバに向けてサービス要求信号を送信することもできる。
【００４４】
さらにまた、端子４４ｂ、送・受信器４５ｂ、変調・復調器４６ｂが設けられており、図１で示した携帯端末７０００との相互通信も可能である。この相互通信は有線又は無線のいずれでも可能である。
【００４５】
さらに制御ブロック３５は、コネクタ５１に装着されたカードタイプメモリ５２のデータを読み取ることも可能である。このために本装置は、例えば、カードタイプメモリ５２から写真画像データを取り込み、表示器４１０３に表示することが可能である。また特殊なカラー調整などを行う際に、カードタイプメモリ５２からの画像データを標準データ或いは参照データとして用いることも可能である。
【００４６】
上記装置において、ユーザは、デジタルテレビジョン放送信号の所望の番組を視聴すると共に、ＨＤＤ５７に保存したいと思う場合、リモートコントローラ１００１を操作することによりチューナ２４を制御し、番組選択を行う。
【００４７】
チューナ２４の出力は、デコーダ２５でデコードされベースバンド映像信号に復号され、このベースバンド映像信号は、セレクタ２６から信号処理器３４に入力する。これによりユーザは、所望の番組を表示器４１０３で見ることができる。
【００４８】
また選択された番組のストリーム（多数のパケットからなる）は、セレクタ２６を介して制御ブロック３５に入力する。ユーザが録画操作を行えば、記録制御器３５ａは、前記番組のストリームを選択して記録・再生信号処理器５５に供給する。記録制御器３５ａ及び記録・再生信号処理器５５の動作により、例えば前記番組のストリームに対してファイル番号が付され、ストリームファイルとしてＨＤＤ５７のファイルディレクトリに格納される。
【００４９】
また、ユーザがＨＤＤ５７に記録されているストリームファイルを再生して視聴したい場合、例えばリモートコントローラ１００１を操作して、例えば録画リストファイルの表示を指定する。
【００５０】
録画リストファイルは、ＨＤＤ５７にどのようなストリームファイルが記録されているのかを示すファイル番号やファイル名（識別情報と称する）のテーブルを有する。ユーザが録画リストファイルの表示を指定すると、録画リストがメニューとして表示されるので、ユーザは、表示されたリストの中の希望の番組名あるいはファイル番号の位置にカーソルを移動させ、決定ボタンを操作する。すると、所望のストリームファイルの再生が開始される。
【００５１】
指定されたストリームファイルは、再生制御器３５ｂの制御のもとで、ＨＤＤ５７から読み出され、記録・再生信号処理器５５で復号され、制御ブロック３５、セレクタ２６を経由して信号処理器３４に入力される。
【００５２】
制御ブロック３５は、記録制御器３５a、再生制御器３５ｂ、及び録画リスト編集器３５ｃを含む。記録制御器３５ａには、選択した番組のコンテンツを含むパケットが入力される。記録制御器３５ａは、パケットを集合したストリームファイルを構築することができる。つまり、ストリームファイルは、記録・再生新号処理器５５を介して、ＨＤＤ５７に格納される。再生制御器３５ｂの制御に基づいて、ＨＤＤ５７から読み出されたストリームファイルは、記録・再生信号処理器５５を介して読み出されたストリームファイルは、パケット内のデータがデコードされ、ベースバンド映像信号に復号され、信号処理器３４へ送られる。
【００５３】
図４は、携帯端末７０００の構成及び機能を示している。携帯端末７０００は、データ送受信部７７０を含む。またユーザ操作処理部７０１を含む。ユーザ操作により発生した操作信号は、ユーザ操作処理部７０１で把握される。操作のための画面が必要な場合、この携帯端末７０００は、液晶或いはLEDのタッチパネル式の表示部を有し、操作画面を起動することができる。また操作画面の各種の画像内容、画像提供（画像拡大、縮小など）、画像切り替えなどは、操作入力に応じて端末画面表示処理部７０２により制御される。また電話に関する信号は、電話信号処理部７０３により処理されている。
【００５４】
携帯端末７０００には、映像編集処理部７１１、時間情報処理部７１２も含まれる。映像編集処理部７１１を用いることにより、ユーザはテレビジョン受信装置４０００を見ながら、この携帯端末７０００を用いて、録画再生装置１０００の記憶メディアから所望のタイトルの映像情報を読出し、編集処理を行うことができる。即ち、映像編集処理部７１１は、録画再生装置１０００に対して、映像編集用のコマンドを送信するアプリケーションを含む。これにより携帯端末７０００は、あたかもリモコン１００１を操作しているかのように利用できる。編集処理によりコンテンツの途中の削除、或いは、他のコンテンツとの結合処理を行うことができる。
【００５５】
携帯端末７０００は、図示していないが設定情報処理部に対して、操作対象となる各種の機器を登録することができる。設定情報に関する処理は、設定情報処理部が主体となって動作する。また登録している機器を操作するためのアプリケーションがアプリケーションファイルに格納されており、アプリケーション管理部により管理されている。アプリケーション管理部はアプリケーションリストを生成することができる。
【００５６】
時間情報処理部７１２は、編集処理、タグ関連情報の作成などをこの携帯端末７０００を用いて実施するときに、利用される。例えば、録画再生装置１０００のコンテンツに対するタグリストの時間情報を修正する場合に利用される。またテレビジョン受信装置４０００上の画面の画像と、携帯端末７０００を操作した時点とのずれを検出する場合にも利用できる。例えば携帯端末７０００を一時停止操作した時点に対して希望した画面のスチル再生などが遅れるようであれば、操作した時点の時刻情報（例えば携帯端末側の時刻情報）と、再生中のタイトルの先頭からの相対時間とのずれを修正すればよい。例えば、一時停止コマンドが再生装置で認識されたとき、再生装置によるスチル再生位置がスキップバックされるように、相対時間をマイナス方向へ修正（修正時間）すればよい。
【００５７】
今後、一時停止が行われるときは、録画再生装置は、修正時間だけ戻った位置のフレームを一時停止位置の画像として再生して出力する。携帯端末７０００からコマンドを受けとり、チャプタなどの区切り位置としての時間情報を作成する場合、修正時間を利用し、チャプタ用の時間情報を作成する場合も有効である。修正時間の情報は時間情報処理部２３１で保存され、相対時間を補正するために利用される。なお相対時間は、コンテンツを再生したときにコンテンツの先頭をゼロとした、再生経過時間である。
【００５８】
また携帯端末７０００内の各ブロックは、統括制御ブロック７３０によって、統括的に制御される。ブロック間の相互の入出力データが衝突しないように、統括制御ブロック７０３は、各ブロック動作シーケンスの調停を行っている。
【００５９】
携帯端末７０００には、さらにタグリスト処理部７２０が設けられている。タグリスト処理部７０２は、リスト構築処理部７２１、名称処理部７２２、新チャプタ制御部７２３、既存チャプタ制御部７２４、設定選択部７２５を含む。
【００６０】
タグは、テーブル７５４に示すように、例えば始めと終わりの時間の映像期間指定時間情報として定義される。短時間の映像期間としては、例えば1フレーム期間でも良いし、数１０フレーム期間でもよい。この期間はこのような短時間のものに限定される必要は無く、さらに長い時間（例えば3分、6分など）のものでもよい。
【００６１】
ユーザは、この携帯端末７０００をリモコンのように使用して録画再生装置１０００を操作し、タグリストを構築することができる。このときは、リスト構築処理部７２１が主体となって動作する。図４のテーブルの例では、タイトル１のために構築されたタグリスト１の例を示している。タグリスト１の情報は、５つのタグで構築されていることが例示されている。ユーザは、このタグリストは、保存処理を行うことで、メモリ７４２に保存することができる。
【００６２】
またリスト構築処理部７２１は、データ送受信部７７０と共に動作し、サーバ６０００に保存されているタグリストを取り込み、メモリ７４２に保存することもできる。このとき、タグやタグリストに付けられている名称をそのまま取り込むことも可能である。さらには、タグリストの中から所望のタグのみを選択して、編集されたタグリストを構築することも可能である。このときは、設定選択部７２５が動作し、取り込んだタグリストからタグ情報の選択設定、破棄などを行うことができる。つまり、取り込んだタグリストが携帯端末の画面に表示されたとき、ユーザは、画面の削除ボタン（図示せず）を押しながら、任意のタグ名に対して削除指定を行うことが可能である。設定選択部７２５は、いわゆるタグリスト情報内で、それぞれタグ時間を含む複数のタグ情報の中から、取捨選択を行うためのものである。
【００６３】
ユーザは、タグやタグリストに対して、任意に名称をつけることができる。このときは、名称処理部７２２が主体となって動作する。図４の画面７００ｂの例では、「ＴＳＢ攻撃場面」がタグリスト１の名称として設定された例を示している。またこのタグリストに含まれる複数のタグにも名称が付けられている。例えば「１．先発メンバー」、「２．フォーメーション」、「３．クロス攻撃得点」、「４．コーナーキック」・・・などである。このような名称を付けるときは、携帯端末７０００に例えば、タグリストテーブル７５４のようなテーブルが表示されたとき、例えば「名称編集」ボタン（図示せず）を操作し、携帯端末７０００をキーボード表示状態にして、名称を入力することができる。
【００６４】
携帯端末７０００では、このようなタグリストを複数管理することができる。画面７００aの例では、タイトル「ＴＳＢ  ｖｓ  ＳＳＳ」に対してタグリストとして「ＴＳＢ攻撃場面」、「珍プレー集」、「スーパーセーブ」、「ゴール」・・・・などのタグリストが生成されていることが理解できる。
【００６５】
上記の説明では、携帯端末７０００は携帯電話器であるとしたが、パーソナルコンピュータであってもよい。またサーバ６０００は、パーソナルコンピュータであってもよい。
【００６６】
次に図５乃至図１４を参照しながら、携帯端末７０００を用いて録画再生装置１０００が操作されたときの動作を説明する。この携帯端末７０００は、タイトルＡのタグリスト情報を用いて、録画再生装置１０００で記録されているタイトルＡのチャプタを生成することができる。
【００６７】
図５は、携帯端末７０００に保存されているタグリスト情報が利用され、録画再生装置１０００のハードディスクに保存されているタイトルＡに対して、チャプタＣＨ０−ＣＨ４が設定されるときの様子を示している。
【００６８】
タグリスト情報にはタイトルＡのタイトル名情報と、タグ（１）、（２）、（３）、（４）の時間情報が含まれている。一方、録画再生装置１０００のハードディスクにもタイトルＡが録画されているものとする。
【００６９】
携帯端末７０００の画面にはメインウインドウ７１１が設定され、この領域に現在の端末の表示状況が何であるかを示している。まず携帯端末７０００は、メニュー表示状態から機器選択画面に移ることができる。メインウインドウ７１１には「機器選択」というアナウンス表示が得られる。
【００７０】
ユーザは、録画再生装置１０００を携帯端末７０００で指定する（図７のアイコンＲＤ１）。携帯端末７０００は、録再再生装置１０００が選択された状態で、録画タイトル一覧、新規録画予約、再生、などのメニューを表示するので、ユーザは、所望のアイコンを選択操作する。携帯端末７０００の画面にはメインウインドウ７１１が設定され、この領域に現在の端末の表示状況が何であるかを示している。
【００７１】
いま、ユーザは、録画再生装置１０００の録画タイトル一覧を表示器４１０３に表示させ、希望のタイトル（この場合はタイトルＡ・・・例えばサッカー番組であり、ＴＳＢｖｓＳＳＳ）を選択する（図６のステップＳＡ１，ＳＡ２）。
【００７２】
すると携帯端末７０００の画面には録画再生装置１０００を操作するための各種ボタン（再生、停止、編集、こま戻し、コマ送り、早戻し、早送り、スキップ送り、スキップ戻しなど）が表示される（図７のアイコン）。
【００７３】
次にユーザは、携帯端末７０００を操作し（図７の「タグリスト一覧」ボタンの操作）、タグリスト情報の一覧を表示する（図８）。図８の携帯端末７０００の画面では、「ＴＳＢ攻撃場面」、「珍プレー集」、「スーパーセーブ」、「ゴール」、・・・「サーバから取得する」のアイコンが表示される（図６のステップＳＡ３−ＳＡ４）。
【００７４】
この例では、携帯端末７０００において、自動的にタイトルＡ（サッカー番組であり、ＴＳＢｖｓＳＳＳ）のタグリスト情報の一覧が表示された例を示している。これは、例えば録画再生装置１０００との通信の中でどの番組を指定したかが予め分かっているからである。
【００７５】
またこの場合、携帯端末７０００がサーバ６０００から一部のタグリストを取得する場合も、動作は図６のステップＳＡ３，ＳＡ４に含まれる。即ち携帯端末７０００は、タイトルＡのタグリスト情報を指定した検索情報をサーバ６０００に送信し、サーバ６０００から送られてきたタグリスト情報を保存し、タグリスト名を表示する。
【００７６】
図８の携帯端末７０００の画面において、ユーザが「ＴＳＢ攻撃場面」を選択したとすると、「ＴＳＢ攻撃場面」として収集されたタグが表示される。図８の例では、「先発メンバー」、「フォーメーション」、「クロス攻撃と得点」、「コーナーキック」、「失点」、「ドリブル突破」・・・などのタグ名が表示されている（図６のステップＳＡ５，ＳＡ６）。ここで不要なタグがある場合、ユーザは画面上で不要なタグを指定して、「破棄」ボタンを操作すると指定したタグの情報を削除可能である。このときは設定選択部７２５が主体となって動作する。不要なタグを指定する方法は各種可能であり、名称部分のエリアにタッチした状態で指定する、或いはカーソルを設けてカーソルキーを操作して指定するなどの方法が可能である。
【００７７】
またタグ名を編集したい場合には、「名称編集」ボタンを操作し、希望のタグ名をタッチすると、キーボード画面が表示され、新たな名称入力を行うことができる。
【００７８】
ここでユーザは、携帯端末７０００を操作（ボタン「一覧」→「リモコン」を操作）し、図７の画面に戻す。この状態に戻すには例えば、図８の時計マークの位置を押してもよい。次に、例えばボタン「チャプタ取り込み」を操作する（図６のステップＳＡ７）。すると、録画再生装置は、タイトルＡの再生状態となる。また携帯端末７０００の「ＴＳＢ攻撃場面」のタグ情報（例えばタグ「先発メンバー」の時間情報）が録画再生装置１０００へ送信される（図６のステップＳＡ８，ＳＡ９）。録画再生装置１０００は、タグ「先発メンバー」の時間情報に基づいて、タグ「先発メンバー」を再生し、例えば、タグの先頭位置で一時停止状態となる。ユーザは画面を確認し（ステップＳＡ１０）、この画面を第１のチャプタ先頭位置として設定してよいかどうかを判断する。ユーザが現在の画面を第１のチャプタ先頭位置として設定してよいと判断した場合、例えばボタン「チャプタ取り込み」を操作する。このときの操作ボタンは決定ボタンであってもよい。これにより、タイトルに第１のチャプタの先頭位置が設定される。そして全タグ情報に関する処理が終了していない場合は、ステップＳＡ８に戻る。
【００７９】
ステップＳＡ１１において、チャプタの先頭位置として現在の画面位置を別の画面位置に修正したい場合には、例えばコマ送りボタンが操作される。このボタンの操作とともに、タグ情報の中の時間情報が修正される。ユーザが現在の画面を第１のチャプタ先頭位置として設定してよいと判断した場合、例えばボタン「チャプタ取り込み」を操作する。これにより、タイトルに第１のチャプタの先頭位置（修正後の位置）が設定される（ステップＳＡ１２、ＡＳ１３）。
【００８０】
上記した処理及び操作により全タグに対する処理が終了したときに、終了通知が実行される。終了通知は、携帯端末７０００における音声、或いは「終了」文字表示などいずれでもよい。
【００８１】
図５に示した例は、録画再生装置１０００で録画されているコンテンツは、最初の状態ではチャプタが設定されていない状態であった。しかし、コンテンツによっては、すでにチャプタが設定されているコンテンツＢが存在する場合もある。このような場合、当該コンテンツＢに対して、新たにチャプタを設定すると、チャプタ数が多くなってしまい、またユーザが希望するチャプタとは異なるチャプタが発生する。
【００８２】
そこで本装置では、図９に示すように、旧チャプタマークを消去し、旧チャプタをキャンセルする処理を指示することができる。例えば、携帯端末７０００が図８に示す画面になったとき、「既存チャプタあり」という警告表示、或いは、警告音声を出力することができる。ユーザがこのとき構わずに次の操作を行うと、既存チャプタ制御部７２４が、チャプタキャンセル指令を録画再生装置１０００に送信する。すると、録画再生装置１０００はチャプタキャンセルコマンドに応答して、タイトルに設定されているチャプタをキャンセルすることができる。
【００８３】
携帯端末７０００は、録画タイトル一覧表示の中から、録画タイトルを選択したとき、録画再生装置１０００から選択した録画タイトルに関するチャプタ情報を受け取る。つまり、録画再生装置１０００は、選択された録画タイトルにチャプタが設定されているかどうかを判断している。なおチャプタに関する情報は例えばチャプタ設定情報管理部２２４が管理することができる。
【００８４】
図９の例では録画済みタイトルの旧チャプタマークがクリアされ、チャプタ無しタイトルが生成された様子を示している。さらにチャプタ無しタイトルに対して、タグ情報に基づいて、図５で説明したように新たにチャプタが設定された状態を示している。
【００８５】
さらにこの装置においては、タグリスト情報を例えばサーバ６０００から取り込みタグリスト情報に基づいて、対応する録画コンテンツのタグ再生を行うことが可能である。
【００８６】
図１０（Ａ），図１０（Ｂ）は、タグリスト情報に関してユーザが操作を行っているときに、電話回線による呼び出しがかかったときの動作を示している。このときは、データセーブ処理部７４１が主体となって動作する。電話コールがあったときは、例えば電話コールをイメージしたポップアップアイコン７１５が現れるようになっている。またこのときは、今まで処理していた処理途中のデータが図１０（Ｂ）に示すデータセーブ処理部７４１に保存される。そして、ユーザは電話応答を行うことが可能となる。電話が終了して例えばウインドウ７１１にタッチすると、セーブされていたデータが読み出され操作を継続できるようになっている。なおメールが着信したときは、単純に操作及び動作が一時中断され、メールデータが保存されると、もとの動作状態に復帰するようになっている。
【００８７】
上記したように本実施形態によると、録画再生装置１０００のソフトウエアを大きく改造することなく、タグリスト情報を携帯端末７０００で容易に活用することが可能である。これにより、サーバからのタグリスト情報の使い勝手を向上できる。また、サーバへのタグリスト情報は、多くのユーザがアップロードし、ビジネスに活用できる。例えばタイトルの製作者・プロバイダー、さらに放送番組に対するスポンサーなどが、独自にタイトルに対するタグリスト情報を作成しアップロードすることが可能である。
【符号の説明】
【００８８】
１０００・・・録画再生装置、３０００・・・セットトップボックス、４０００・・・テレビジョン受信装置、５０００・・・ネットワーク、６０００・・・サーバ、７０００・・・携帯端末、２００・・・制御ブロック、２１１・・・GUI処理部、２１２・・・制御部、２１４・・・再生制御処理部、２１５・・・録画制御処理部、２１６・・・設定モード処理部、２２１・・・自動チャプタ生成部、２２２・・・チャプタ編集処理部、２２３・・・タイトル及びチャプタ再生処理部、２２４・・・チャプタ設定情報管理部、２２５・・・タグリスト管理部、３００・・・ネットワーク制御部、
６０１・・・通知送受信部、６０３・・・タグリスト管理部、６０４・・・データベース、７０１・・・ユーザ操作処理部、７０２・・・端末画面表示処理部、７０３・・・電話信号処理部、７１１・・・映像編集処理部、７１２・・・時間情報処理部、７２０・・・タグリスト処理部、７２１・・・リスト構築処理部、７２２・・・名称処理部、７２３・・・新チャプタ制御部、７２４・・・既存チャプタ制御部、７２５・・・設定選択部、７４１・・・データセーブ処理部、７４２・・・メモリ、７７０・・・データ送受信部。
【図１】
0005740128.tif 000002
【図２】
0005740128.tif 000003
【図３】
0005740128.tif 000004
【図４】
0005740128.tif 000005
【図５】
0005740128.tif 000006
【図６】
0005740128.tif 000007
【図７】
0005740128.tif 000008
【図８】
0005740128.tif 000009
【図９】
0005740128.tif 000010
【図１０】
0005740128.tif 000011